(57)【要約】【課題】多数の情報の中からユーザの位置に関係するとともにユーザに適合した有効な情報のみを選択し、提供する。【解決手段】本発明の一態様の情報提供装置１は、ユーザ２ａに携帯される端末３ａと伝送可能に接続され、登録用端末５ａから登録要求とユーザ識別データと情報提供エリアの位置を示すエリア位置データと提供内容データとを受け付け、また端末３ａから情報提供要求とユーザ識別データとユーザ２ａの最新位置を示すユーザ位置データとを受け付ける受付手段１６ａと、登録要求の受付時に、ユーザ識別データとエリア位置データと提供内容データとを関係付けて記憶手段２１，２２に記憶する登録処理手段１８と、情報提供要求の受付時に、ユーザ位置データがエリア位置データから定まる情報提供条件を満たすか判断する提供条件判断手段１９と、情報提供条件を満たす場合に、ユーザ識別データと関係する提供内容データを、端末３ａに提供する提供手段１６ｂとを具備する。【選択図】図１
2006260081.tif 000002
【特許請求の範囲】
【請求項１】
情報提供の対象となるユーザに携帯され位置測定機能を持つ端末と伝送可能に接続される情報提供装置において、
位置測定機能を持つ端末から情報提供要求とともに前記ユーザのユーザ識別データと前記ユーザの最新の位置を示すユーザ位置データとを受け付ける受付手段と、
前記ユーザ識別データと情報提供を実施する情報提供エリアの位置を示すエリア位置データと提供対象の情報の内容を示す提供内容データとを関係付けて記憶する記憶手段と、
前記情報提供要求を受け付けた場合に、前記ユーザ位置データが前記エリア位置データから定まる情報提供条件を満たすか判断する提供条件判断手段と、
前記情報提供条件を満たす場合に、前記ユーザ識別データと関係付けされている前記提供内容データを、前記端末に提供する提供手段と
を具備することを特徴とする情報提供装置。
【請求項２】
請求項１記載の情報提供装置において、
前記記憶手段は、前記ユーザ識別データと予め登録され前記ユーザの属性を示す属性データとを関係付けるとともに、前記提供内容データと前記属性データとを関係付けて記憶することにより、前記ユーザ識別データと前記提供内容データとを関係付ける
ことを特徴とする情報提供装置。
【請求項３】
請求項１又は請求項２記載の情報提供装置において、
前記情報提供条件は、前記ユーザが前記情報提供エリアに接近しつつある状態と前記ユーザが前記情報提供エリアに入った状態とのうちの少なくとも一方の成立により満たされることを特徴とする情報提供装置。
【請求項４】
請求項１乃至請求項３のいずれか１項に記載の情報提供装置において、
前記記憶手段は、前記ユーザの最新の位置を示すユーザ位置データ、前記最新の位置の測定時間を表す最新の時間データ、前記ユーザの過去の位置を示すユーザ過去位置データ、前記過去の位置の測定時間を表す過去の時間データを関係付けて記憶し、
前記提供条件判断手段は、前記ユーザ位置データ、前記最新の時間データ、前記ユーザ過去位置データ、及び前記過去の時間データから推定した前記ユーザの移動方向と速度が前記情報提供条件を満たすか否か判断する
ことを特徴とする情報提供装置。
【請求項５】
請求項１乃至請求項４のいずれか１項に記載の情報提供装置において、
前記受付手段は、前記端末から前記ユーザ位置データについての精度劣化指数の値を受け付け、
前記提供条件判断手段は、前記エリア位置データから定まる情報提供エリアの範囲を、前記精度劣化指数の値に応じて変更する
ことを特徴とする情報提供装置。
【請求項６】
情報提供の対象となるユーザに携帯され位置測定機能を持つ端末と伝送可能に接続される情報提供装置が利用するデータを登録する情報登録装置において、
登録用端末から登録要求とともに前記ユーザのユーザ識別データと情報提供を実施する情報提供エリアの位置を示すエリア位置データと提供対象の情報の内容を示す提供内容データとを受け付ける受付手段と、
前記登録要求を受け付けた場合に、前記ユーザ識別データと前記エリア位置データと前記提供内容データとを関係付けて記憶手段に記憶する登録処理手段と
を具備することを特徴とする情報登録装置。
【請求項７】
請求項６記載の情報登録装置において、
前記登録処理手段は、前記情報提供エリアについて新規のエリア位置データと新規の提供内容データとを受け付けた場合において、前記記憶手段に記憶されている前記エリア位置データと前記新規のエリア位置データとから算出される距離が所定のしきい値以下であり、前記記憶手段に記憶されている前記提供内容データと前記新規の提供内容データとが整合する場合に、前記エリア位置データの示す位置と前記新規のエリア位置データの示す位置との中点の位置を求め、前記中点の位置を用いて前記記憶手段に記憶されている前記エリア位置データを更新することを特徴とする情報登録装置。
【請求項８】
請求項６記載の情報登録装置において、
前記登録処理手段は、前記情報提供エリアについて新規のエリア位置データと新規の提供内容データとを受け付けた場合において、前記記憶手段に記憶されている前記エリア位置データと前記新規のエリア位置データとから算出される距離が所定のしきい値以下であり、前記記憶手段に記憶されている前記提供内容データと前記新規の提供内容データとが整合する場合に、前記情報提供エリアについて前記新規のエリア位置データと前記新規の提供内容データとを前記記憶手段に記憶しないことを特徴とする情報登録装置。
【請求項９】
情報提供対象となるユーザに携帯され位置測定機能を持つ端末と伝送可能に接続され、前記ユーザのユーザ識別データと情報提供を実施する情報提供エリアの位置を示すエリア位置データと提供対象の情報の内容を示す提供内容データとを関係付けて記憶する記憶手段を備えるコンピュータを、
位置測定機能を持つ端末から情報提供要求とともに前記ユーザ識別データと前記ユーザの最新の位置を示すユーザ位置データとを受け付ける受付手段、
前記情報提供要求を受け付けた場合に、前記ユーザ位置データが前記エリア位置データから定まる情報提供条件を満たすか判断する提供条件判断手段、
前記情報提供条件を満たす場合に、前記ユーザ識別データと関係付けされている前記提供内容データを、前記端末に提供する提供手段
として機能させるためのプログラム。
【請求項１０】
情報提供の対象となるユーザに携帯され位置測定機能を持つ端末と伝送可能に接続される情報提供装置が利用するデータを登録するコンピュータを、
登録用端末から登録要求とともに前記ユーザのユーザ識別データと情報提供を実施する情報提供エリアの位置を示すエリア位置データと提供対象の情報の内容を示す提供内容データとを受け付ける受付手段、
前記登録要求を受け付けた場合に、前記ユーザ識別データと前記エリア位置データと前記提供内容データとを関係付けて記憶手段に記憶する登録処理手段
として機能させるためのプログラム。
【請求項１１】
情報提供の対象となるユーザに携帯され位置測定機能を持つ端末と伝送可能に接続される装置に実施される情報提供方法において、
登録用端末から登録要求とともに前記ユーザのユーザ識別データと情報提供を実施する情報提供エリアの位置を示すエリア位置データと提供対象の情報の内容を示す提供内容データとを受け付け、
前記登録要求を受け付けた場合に、前記ユーザ識別データと前記エリア位置データと前記提供内容データとを関係付けて記憶手段に記憶し、
前記端末から情報提供要求とともに前記ユーザ識別データと前記ユーザの最新の位置を示すユーザ位置データとを受け付け、
前記情報提供要求を受け付けた場合に、前記ユーザ位置データが前記エリア位置データから定まる情報提供条件を満たすか判断し、
前記情報提供条件を満たす場合に、前記ユーザ識別データと関係付けされている前記提供内容データを、前記端末に提供する
ことを特徴とする情報提供方法。
【発明の詳細な説明】
【技術分野】
【０００１】
本発明は、携帯端末の位置に応じて適当な情報を提供する情報提供装置及びプログラム並びに方法に関する。
【背景技術】
【０００２】
特許文献１（特開２００４−１９１０９３号公報）では、現在の交通状況を反映した危険箇所情報を、乗車中のユーザ及び歩行者などのその他のユーザに対して、ユーザの移動に応じて通知する交通危険箇所通知システムについて開示されている。
また、ＧＰＳ（Global Positioning System）では、衛星からの信号をＧＰＳ端末で受信し、このＧＰＳ端末の位置が測定される。
【０００３】
【特許文献１】特開２００４−１９１０９３号公報
【発明の開示】
【発明が解決しようとする課題】
【０００４】
しかしながら、上記特許文献１を含む従来の技術においては、複数のユーザに対して共通の情報が提供されるのみであり、各ユーザに対して個別の危険箇所情報は提供されていない。
また、ＧＰＳの位置測定精度は、測定に使用される衛星の配置状態に影響を受け、位置や時間によって精度に差が生じる。
【０００５】
本発明は、以上のような実情に鑑みてなされたもので、ユーザの位置を測定し、多数の情報の中からユーザの位置に関係するとともにユーザに適合した有効な情報のみを選択し、提示する情報提供装置及びプログラム並びに方法を提供することを目的とする。
【課題を解決するための手段】
【０００６】
本発明の第１の態様に係る情報提供装置は、情報提供の対象となるユーザに携帯され位置測定機能を持つ端末と伝送可能に接続され、位置測定機能を持つ端末から情報提供要求とともにユーザのユーザ識別データとユーザの最新の位置を示すユーザ位置データとを受け付ける受付手段と、ユーザ識別データと情報提供を実施する情報提供エリアの位置を示すエリア位置データと提供対象の情報の内容を示す提供内容データとを関係付けて記憶する記憶手段と、情報提供要求を受け付けた場合に、ユーザ位置データがエリア位置データから定まる情報提供条件を満たすか判断する提供条件判断手段と、情報提供条件を満たす場合に、ユーザ識別データと関係付けされている提供内容データを、端末に提供する提供手段とを具備する。
【０００７】
これにより、ユーザの位置に応じてユーザに適合した有効な情報をユーザの携帯する端末に提供できる。
上記情報提供装置において、記憶手段は、ユーザ識別データと予め登録されユーザの属性を示す属性データとを関係付けるとともに、提供内容データと属性データとを関係付けて記憶することにより、ユーザ識別データと提供内容データとを関係付けるとしてもよい。
【０００８】
これにより、ユーザの位置及び属性データに適合した有効な情報をユーザの携帯する端末に提供できる。
上記情報提供装置において、情報提供条件は、前記ユーザが前記情報提供エリアに接近しつつある状態と前記ユーザが前記情報提供エリアに入った状態とのうちの少なくとも一方の成立により満たされるとしてもよい。
【０００９】
これにより、情報提供エリアにユーザが接近しつつある場合や情報提供エリアに侵入した場合に、ユーザに適合した情報をユーザの携帯する端末に提供できる。
上記情報提供装置において、記憶手段は、ユーザの最新の位置を示すユーザ位置データ、最新の位置の測定時間を表す最新の時間データ、ユーザの過去の位置を示すユーザ過去位置データ、過去の位置の測定時間を表す過去の時間データを関係付けて記憶し、提供条件判断手段は、ユーザ位置データ、最新の時間データ、ユーザ過去位置データ、及び過去の時間データから推定したユーザの移動方向と速度が情報提供条件を満たすか否か判断するとしてもよい。
【００１０】
これにより、ユーザの移動方向と速度とを考慮して、ユーザに情報を提供するか否かを決定できる。
上記情報提供装置において、受付手段は、端末からユーザ位置データについての精度劣化指数の値を受け付け、提供条件判断手段は、エリア位置データから定まる情報提供エリアの範囲を、精度劣化指数の値に応じて変更するとしてもよい。
【００１１】
これにより、ユーザの位置測定精度に応じて情報提供するか否かを切り替えることができ、情報の提供漏れを防止できる。また、情報提供エリアが多数登録されている場合に、提供される情報の数が多くなりすぎることを防止できる。さらに、複数の情報提供エリアが隣接している場合に、錯綜した状態で情報が提供されることを防止できる。
【００１２】
本発明の第２の態様に係る情報登録装置は、情報提供の対象となるユーザに携帯され位置測定機能を持つ端末と伝送可能に接続される情報提供装置が利用するデータを登録し、登録用端末から登録要求とともにユーザのユーザ識別データと情報提供を実施する情報提供エリアの位置を示すエリア位置データと提供対象の情報の内容を示す提供内容データとを受け付ける受付手段と、登録要求を受け付けた場合に、ユーザ識別データとエリア位置データと提供内容データとを関係付けて記憶手段に記憶する登録処理手段とを具備する。
【００１３】
これにより、情報提供エリアに関する情報の提供を実現させることができる。
上記情報登録装置において、登録処理手段は、情報提供エリアについて新規のエリア位置データと新規の提供内容データとを受け付けた場合において、記憶手段に記憶されているエリア位置データと新規のエリア位置データとから算出される距離が所定のしきい値以下であり、記憶手段に記憶されている提供内容データと新規の提供内容データとが整合する場合に、エリア位置データの示す位置と新規のエリア位置データの示す位置との中点の位置を求め、中点の位置を用いて記憶手段に記憶されているエリア位置データを更新するとしてもよい。
【００１４】
これにより、情報提供エリアの位置を自動的に修正し、情報提供エリアの位置の信頼性を向上させることができる。
上記情報登録装置において、登録処理手段は、情報提供エリアについて新規のエリア位置データと新規の提供内容データとを受け付けた場合において、記憶手段に記憶されているエリア位置データと新規のエリア位置データとから算出される距離が所定のしきい値以下であり、記憶手段に記憶されている提供内容データと新規の提供内容データとが整合する場合に、情報提供エリアについて新規のエリア位置データと新規の提供内容データとを記憶手段に記憶しないとしてもよい。
【００１５】
これにより、同一の情報提供エリアについて、同一のデータ内容が重複登録されることを防止できる。
なお、上記の態様は装置として表現されている。しかしながら、これに限らず、上記の態様は、方法、プログラム、コンピュータ読み取り可能な記憶媒体、端末、登録用端末と上記態様の装置とを具備するシステムなどで表現されるとしてもよい。
【発明の効果】
【００１６】
本発明により、多数の情報の中からユーザの位置に関係するとともにユーザに適合した有効な情報のみを選択し、提供することができる。
【発明を実施するための最良の形態】
【００１７】
以下、図面を参照しながら本発明の実施の形態について説明する。なお、以下の各図において同一の部分については同一の符号を付して説明を省略する。
（第１の実施の形態）
図１は、本実施の形態に係る情報提供システムの構成の例を示すブロック図である。
【００１８】
また、図２は、本実施の形態に係る情報提供システムの適用例を示す図である。
本実施の形態に係る情報提供システム１は、一般ユーザ２ａ〜２ｄに携帯される端末３ａ〜３ｄ、管理ユーザ４ａ〜４ｄに携帯される端末５ａ〜５ｄ、基地局６ａ，６ｂ、撮影装置７、センサ８、ネットワーク９、集約装置１０、情報提供装置１１を具備する。
【００１９】
端末３ａ〜３ｄ，５ａ〜５ｄは、位置測定機能１２を持ち、また情報提供装置１１との間で、基地局６ａ，６ｂ、ネットワーク９、集約装置１０経由でデータを送受信する通信機能１３を持ち、情報提供装置１１から受け付けたデータを表示及び音声出力する出力機能１４を持つ携帯端末、ナビゲーション端末である。位置測定機能１２は、例えば、衛星から受信した信号に基づいて、位置を測定する。
【００２０】
また、端末３ａ〜３ｄ，５ａ〜５ｄは、情報提供サービスの実施に必要な情報提供装置１１への登録を支援する登録機能１５を持つ。
端末３ａ〜３ｄ，５ａ〜５ｄとしては、例えば、携帯電話、ＰＨＳ（Personal Handyphone System）、無線通信機能を有するＰＤＡ（Personal Digital Assistants）、ノートＰＣなどのような移動通信を行う機器を用いる。
【００２１】
端末３ａ〜３ｄは、例えば危険通知データ、広告データなどの受け手となる一般ユーザ２ａ〜２ｄに携帯され、端末５ａ〜５ｄは、管理ユーザ４ａ〜４ｄに携帯される。一般ユーザ２ａ〜２ｄは、例えば、子供、高齢者、車椅子利用者、女性、一般通行人などである。管理ユーザ４ａ〜４ｄは、例えば、親、教師、ＰＴＡなどの学校関係者、介護者、ボランティア活動者、現場監督者、店舗、登録を行う通行人、情報提供サービス契約者などである。
【００２２】
一般ユーザ２ａ〜２ｄの端末３ａ〜３ｄは、一般ユーザＩＤ（ユーザ識別データ）と位置測定機能１２によって測定された一般ユーザ位置データと、一般ユーザの端末を示す一般ユーザ端末ＩＤと、情報提供トリガ（情報提供要求）とを、通信機能１３を用いて、基地局６ａ，６ｂ、ネットワーク９、集約装置１０経由で情報提供装置１１に提供する。
【００２３】
また、一般ユーザ２ａ〜２ｄの端末３ａ〜３ｄは、一般ユーザＩＤと属性データと登録トリガ（登録要求）とを、通信機能１３を用いて、情報提供装置１１に提供する。
管理ユーザ４ａ〜４ｄの端末５ａ〜５ｄは、登録用のデータと登録トリガとを、通信機能１３を用いて、基地局６ａ，６ｂ、ネットワーク９、集約装置１０経由で情報提供装置１１に提供する。
【００２４】
ここで、登録用のデータは、例えば、一般ユーザＩＤ（ユーザ識別データ）、一般ユーザの属性データ（年齢、性別など）、危険地域・広告配信地域などの情報提供エリアの位置を示すエリア位置データ（緯度及び経度）、管理ユーザＩＤ（登録者識別データ）、管理ユーザの端末を特定するための管理ユーザ端末ＩＤ、情報提供のカテゴリ、情報提供を実施する時間を示す提供実施時間データ（日付、曜日、時間帯など）、提供内容データ（通知メッセージ）、などを含むとする。
【００２５】
撮影装置７は例えばカメラであり、センサ８は例えば人感センサである。撮影装置７とセンサ８とは、情報提供エリアに人が接近したか否かを示すデータを、ネットワーク９、集約装置１０経由で情報提供装置１１に提供する。
ここで、情報提供エリアの例としては、スクールゾーンにおける見通しのよくない交差点、交通事故の多発地域、車椅子での通行が困難な狭い路地、工事現場、段差のあるエリア、店舗周辺エリアなどがある。
【００２６】
撮影装置７は、情報提供エリアの画像データを作成し、この画像データを情報提供装置１１に提供する。
センサ８は、情報提供エリアに人間が接近しているか否かの検知データを情報提供装置１１に提供する。
なお、撮影装置７とセンサ８とは、一定周期で情報提供装置１１に画像データ、検知データを提供するとしてもよい。
【００２７】
基地局６ａ，６ｂは、無線通信により端末３ａ〜３ｄ，５ａ〜５ｄから受信したデータをネットワーク９、集約装置１０経由で情報提供装置１１に提供する。
また、基地局６ａ，６ｂは、情報提供装置１１から集約装置１０、ネットワーク９経由で受け付けたデータを、無線により端末３ａ〜３ｄ，５ａ〜５ｄに送信する。
【００２８】
ネットワーク９としては、例えばインターネット、電話回線などが利用される。
集約装置１０は、様々な種類の端末３ａ〜３ｄ，５ａ〜５ｄ、撮影装置７、センサ８から受け付けたデータを共通フォーマットに変換（構造化）し、情報提供装置１１に提供する。
【００２９】
また、集約装置１０は、情報提供装置１１から受け付けたデータを、提供先の端末３ａ〜３ｄ，５ａ〜５ｄの種別に応じたデータに変換し、ネットワーク９、基地局６ａ，６ｂ経由で提供先の端末３ａ〜３ｄ，５ａ〜５ｄに提供する。
情報提供装置１１は、入出力部１６、振分部１７、登録処理部１８、提供条件判断部１９、提供データ作成部２０、一般ユーザデータ記憶部２１、エリアデータ記憶部２２を具備する。
【００３０】
入出力部１６は、受付機能１６ａと提供機能１６ｂとを実現する。受付機能１６ａは、各端末３ａ〜３ｄ，５ａ〜５ｄからのデータを基地局６ａ，６ｂ、ネットワーク９、集約装置１０経由で受け付け、この受け付けたデータを振分部１７に提供する。提供機能１６ｂは、提供データ作成部２０で作成された提供データとこの提供データの提供先の指定を指定する一般ユーザ端末ＩＤ、管理ユーザ端末ＩＤを受け付け、集約装置１０、ネットワーク９、基地局６ａ，６ｂ経由で提供先の端末３ａ〜３ｄ，５ａ〜５ｄに提供する。
【００３１】
振分部１７は、入出力部１６の受付機能１６ａから登録トリガを受け付けた場合、入出力部１６の受付機能１６ａから受け付けた登録用のデータを登録処理部１８に提供する。
一方、振分部１７は、入出力部１６の受付機能１６ａから情報提供トリガを受け付けた場合、入出力部１６の受付機能１６ａから受け付けたデータを提供条件判断部１９に提供する。
【００３２】
一般ユーザデータ記憶部２１では、一般ユーザデータ２１ａがテーブル形式で管理されている。
エリアデータ記憶部２２では、エリアデータ２２ａ及び代表点データ２２ｂがテーブル形式で管理されている。
図３は、一般ユーザデータ２１ａ、エリアデータ２２ａ、代表点データ２２ｂの関係の例を示す図である。
【００３３】
一般ユーザデータ２１ａは、一般ユーザに関する各種データを含む。一般ユーザデータ２１ａは、例えば、一般ユーザＩＤ、一般ユーザの属性データ、この一般ユーザについて位置測定のなされた最新の時間データ（日付、時刻）、一般ユーザの最新の位置データ、この一般ユーザについて位置測定のなされた過去の時間データ、一般ユーザの過去の位置データ、管理ユーザＩＤ、情報提供サービスを実施中か否かを示す提供状態、情報提供先であり管理ユーザの端末を示す管理ユーザ端末ＩＤを項目とする。
【００３４】
エリアデータ２２ａは、情報提供エリアに関する各種データを含む。エリアデータ２２ａは、例えば、エリアＩＤ、情報提供エリアの代表点を示す代表点ＩＤ、情報提供のカテゴリ、情報提供対象となる一般ユーザの属性データ、提供実施時間データ、提供内容データ、このエリアについての登録更新日時を示す登録更新時間データ、このエリアについての削除日時を示す削除時間データを項目とする。
【００３５】
代表点データ２２ｂは、情報提供エリアの代表点に関する各種データを含む。代表点データ２２ｂは、例えば、代表点ＩＤ、代表点の位置を示すエリア位置データ（緯度、経度）、エリア位置データから計算されるマップコード、この代表点についての登録新日時を示す登録更新時間データを項目とする。
【００３６】
一般ユーザデータ２１ａとエリアデータ２２ａとは、一般ユーザの属性データで関係付けされている。
エリアデータ２２ａと代表点データ２２ｂとは、代表点ＩＤで関係付けされている。
登録処理部１８は、振分部１７から受け付けた登録用のデータにしたがって、一般ユーザデータ２１ａ、エリアデータ２２ａ、代表点データ２２ｂへの登録処理を実行する。
【００３７】
具体的には、登録処理部１８は、登録用のデータを受け付けた場合に、受け付けた一般ユーザＩＤ、一般ユーザの属性データ、管理ユーザＩＤ、管理ユーザ端末ＩＤを、一般ユーザデータ２１ａの項目の値として設定する。
また、登録処理部１８は、登録用のデータを受け付けた場合に、エリアデータ２２ａのエリアＩＤ、エリアデータ２２ａと代表点データ２２ｂとの代表点ＩＤに、情報提供エリアごとにユニークな値を自動設定する。
【００３８】
また、登録処理部１８は、登録用のデータを受け付けた場合に、受け付けた情報提供のカテゴリ、一般ユーザの属性データ、提供実施時間データ、提供内容データ（通知メッセージ）を、エリアデータ２２ａの項目の値として設定し、登録更新時間データを設定する。
【００３９】
さらに、登録処理部１８は、登録用のデータを受け付けた場合に、受け付けたエリア位置データを、代表点データ２２ｂのエリア位置データの項目の値として設定し、エリア位置データの示す緯度及び経度からマップコードを計算して設定し、登録更新時間データを設定する。
【００４０】
提供条件判断部１９は、情報提供を行うためのデータを受け付けた場合に、一般ユーザデータ２１ａ、エリアデータ２２ａ、代表点データ２２ｂに対して、受け付けた一般ユーザＩＤを持ち、提供状態が「実施中」のレコードを検索する。
また、提供条件判断部１９は、検索されたレコードに含まれている最新の時間データと一般ユーザの最新の位置データを、それぞれ過去の時間データと過去の位置データに設定し、最新の時間データを設定するとともに受け付けた一般ユーザ位置データを最新の位置データに設定する。
【００４１】
そして、提供条件判断部１９は、検索されたレコードについて、一般ユーザＩＤの示す一般ユーザが情報提供エリアに接近又は存在する場合、この一般ユーザＩＤに対応する管理ユーザ端末ＩＤ、提供内容データと、受け付けた一般ユーザ端末ＩＤとを提供データ作成部２０に提供する。
【００４２】
提供データ作成部２０は、提供条件判断部１９から受け付けた提供内容データに基づいて提供データを作成し、提供データ、提供先を示す管理ユーザ端末ＩＤ及び一般ユーザ端末ＩＤを、入出力部１６の提供機能１６ｂに提供する。
入出力部１６の提供機能１６ｂは、提供データ作成部２０から受け付けた提供データを、集約装置１０、ネットワーク９、基地局６ａ，６ｂ経由で、提供データ作成部２０から受け付けた管理ユーザ端末ＩＤ及び一般ユーザ端末ＩＤの示す端末に提供する。
【００４３】
なお、本実施の形態では、情報提供エリアは、例えば、ＧＰＳなどで測定された代表点の位置データ（緯度及び経度）を中心とした半径ｒ［ｍ］の円領域で定義されるとしてもよい。また、情報提供エリアは、例えば、２ｒ［ｍ］四方の正方形領域（例えばｒ＝１０）で定義されるとしてもよい。
【００４４】
本実施の形態では、一般ユーザ２ａ〜２ｄ又は管理ユーザ４ａ〜４ｄが精度劣化指数であるＤＯＰ値を設定し、このＤＯＰ値によってその広さを動的に変更させるとする。ＤＯＰ値は、端末３ａ〜３ｄ，５ａ〜５ｄから情報提供装置１１に提供される。
図４は、本実施の形態に係る端末５ａ〜５ｄによる登録処理の例を示すフローチャートである。
【００４５】
ステップＳ１において、管理ユーザ４ａ〜４ｄの端末５ａ〜５ｄは、登録トリガと、情報提供先を示す管理ユーザ端末ＩＤとを情報提供装置１１に対して提供する。
ステップＳ２において、管理ユーザ４ａ〜４ｄの端末５ａ〜５ｄは、位置測定機能１２により情報提供エリアの位置を示すエリア位置データを取得する。
【００４６】
ステップＳ３において、管理ユーザ４ａ〜４ｄの端末５ａ〜５ｄは、一般ユーザＩＤ、一般ユーザの属性データ、管理ユーザＩＤ、情報提供のカテゴリ、提供実施時間データ、提供内容データ、そしてエリア位置データを、情報提供装置１１に提供する。
なお、一般ユーザデータ２１ａにおける一般ユーザＩＤと一般ユーザの属性データとの登録は、一般ユーザ２ａ〜２ｄの端末３ａ〜３ｄからでも可能とする。
【００４７】
登録処理における各データの指定は、プルダウンメニューを用いるとしてもよい。提供内容データは、自由記述されるとしてもよい。
図５は、本実施の形態に係る情報提供装置１１による登録処理の例を示すフローチャートである。
ステップＴ１において、入出力部１６の受付機能１６ａは、登録トリガと管理ユーザ端末ＩＤとの受け付け処理を繰り返す。
【００４８】
受付機能１６ａによって登録トリガと管理ユーザ端末ＩＤとが受け付けられると、ステップＴ２において、受付機能１６ａは、一般ユーザＩＤ、一般ユーザの属性データ、管理ユーザＩＤ、情報提供のカテゴリ、提供実施時間データ、提供内容データ、エリア位置データを受け付ける。これらの受け付けた各データは、一般ユーザデータ２１ａ、エリアデータ２２ａ、代表点データ２２ｂに対する登録候補データとなる。
【００４９】
ステップＴ３において、振分部１７は、受付機能１６ａによって受け付けられたトリガの種別を判断する。
受け付けられたトリガが登録トリガでない場合、登録処理は終了する。
受け付けられたトリガが登録トリガの場合、ステップＴ４において、振分部１７は、一般ユーザＩＤ、一般ユーザの属性データ、管理ユーザＩＤ、情報提供のカテゴリ、提供実施時間データ、提供内容データ、エリア位置データを、登録処理部１８に提供する。
【００５０】
ステップＴ５において、登録処理部１８は、エリアデータ２２ａ及び代表点データ２２ｂを参照し、「エリアデータ２２ａ及び代表点データ２２ｂにおいて、記憶されている代表点と受け付けたエリア位置データとの距離が所定のしきい値以下であり、記憶されている提供内容データ及び属性データと受け付けた提供内容データ及び属性データとが整合（一致）する」という条件を満たすか否か判断する。
【００５１】
このステップＴ５の条件を満たさない場合（新規登録条件が満たされる場合）、ステップＴ６において、登録処理部１８は、受け付けたデータを、一般ユーザデータ２１ａ、エリアデータ２２ａ、代表点データ２２ｂに登録する。
一方、ステップＴ５の条件を満たす場合（新規登録条件を満たさない場合）、ステップＴ７において、登録処理部１８は、このレコードの登録更新時間データの示す時間が現在の日時から一定期間内であるという更新条件を満たすか判断する。
【００５２】
レコードの登録更新時間データが現在より一定期間以上前の場合、更新条件を満たさないとして処理は終了する。
更新条件レコードの登録更新時間データが現在より一定期間以上前でない場合、更新条件を満たすとして、ステップＴ８において、登録処理部１８は、代表点データ２２ｂに記憶されているエリア位置データ（代表点の位置データ）と受け付けたエリア位置データとの中点位置を、新規にエリアデータ２２ａのエリア位置データとして登録する。
【００５３】
上記図５において、ステップＴ５の判断は、同一の情報提供エリアについて同一の内容が重複登録されることを排除するために実行される。また、ステップＴ７，Ｔ８は、登録されてから一定期間が経過するまでの間に、情報提供エリアの位置を修正し、情報提供エリアの位置の信頼性を向上させるために実行される。
【００５４】
すなわち、上記図５において、登録時の情報提供装置１１は、まず、登録候補となる一般ユーザＩＤ、一般ユーザの属性データ、管理ユーザＩＤ、情報提供のカテゴリ、提供実施時間データ、提供内容データ、そして情報提供エリアの位置データを、受け付ける。
【００５５】
次に、登録時の情報提供装置１１は、登録候補の一般ユーザの属性データ、登録候補の提供内容データと値が等しく、登録候補の情報提供エリアのエリア位置データとの直線距離が所定のしきい値以下となるという条件を満たすレコードを、一般ユーザデータ２１ａ、エリアデータ２２ａ、代表点データ２２ｂから検索する。
【００５６】
次に、登録時の情報提供装置１１は、登録候補の提供内容データと値が等しく、登録候補の情報提供エリアのエリア位置データとの直線距離が所定のしきい値以下となる条件を満たすレコードがなければ、登録候補に対応するレコードを新規に一般ユーザデータ２１ａ、エリアデータ２２ａ、代表点データ２２ｂに登録する。このとき、代表点データ２２ｂに対しては、登録候補のエリア位置データを情報提供エリアの代表点のエリア位置データとし、緯度及び経度をマップコードに変換し、登録を行う。
【００５７】
上記条件を満たすレコードがあり、かつこのレコードの登録更新時間が現在の日時より一定期間以上（例えば一週間）前の場合、登録時の情報提供装置１１は、登録候補の各種データについて登録を行うことなく処理を終了する。
上記条件を満たすレコードがあり、かつこのレコードの登録更新時間が現在の日時から一定期間内の場合、登録時の情報提供装置１１は、登録候補のエリア位置データと、代表点データ２２ｂに登録済みの代表点のエリア位置データとの中点を新規の代表点のエリア位置データとする再計算と、新規の代表点のエリア位置データをマップコードに変換し、代表点データ２２ｂに登録する。
【００５８】
図６は、本実施の形態に係る端末３ａ〜３ｄによる情報提供処理の例を示すフローチャートである。
ステップＵ１において、一般ユーザ２ａ〜２ｄの端末３ａ〜３ｄは、情報提供トリガ、一般ユーザＩＤ、情報提供先を指定する一般ユーザ端末ＩＤを情報提供装置１１に対して提供する。
【００５９】
ステップＵ２において、一般ユーザ２ａ〜２ｄの端末３ａ〜３ｄは、位置測定機能１２により一般ユーザ２ａ〜２ｄの現在の位置を示す一般ユーザ位置データを取得し、ＤＯＰ値を取得する。
ステップＵ３において、一般ユーザ２ａ〜２ｄの端末３ａ〜３ｄは、一般ユーザＩＤ、一般ユーザ位置データ、ＤＯＰ値を情報提供装置１１に提供する。
【００６０】
ステップＵ４において、一般ユーザ２ａ〜２ｄの端末３ａ〜３ｄは、情報提供装置１１から提供データを受け付けたか否か判断する。
提供データを受け付けていない場合、処理はステップＵ６に移る。
提供データを受け付けた場合、ステップＵ５において、一般ユーザ２ａ〜２ｄの端末３ａ〜３ｄは、画面に提供データの内容を表示し、また音声により出力し、危険警告や広告内容を一般ユーザ２ａ〜２ｄに与える。
【００６１】
ステップＵ６において、一般ユーザ２ａ〜２ｄの端末３ａ〜３ｄは、一般ユーザ２ａ〜２ｄからの終了操作を受け付けたか否か判断する。
終了操作を受け付けていない場合、処理は、ステップＵ２に戻る。
終了操作を受け付けた場合、ステップＵ７において、一般ユーザ２ａ〜２ｄの端末３ａ〜３ｄは、終了トリガを情報提供装置１１に提供する。
【００６２】
図７は、本実施の形態に係る情報提供装置１１による情報提供処理の例を示すフローチャートである。
ステップＶ１において、入出力部１６の受付機能１６ａは、情報提供トリガ、一般ユーザＩＤ、一般ユーザ端末ＩＤの受け付け処理を繰り返す。
受付機能１６ａによって情報提供トリガ、一般ユーザＩＤ、一般ユーザ端末ＩＤが受け付けられると、ステップＶ２において、受付機能１６ａは、一般ユーザ位置データ、ＤＯＰ値を受け付ける。
【００６３】
ステップＶ３において、振分部１７は、受付機能１６ａによって受け付けられたトリガの種別を判断する。
受け付けられたトリガが情報提供トリガでない場合、情報提供処理は終了する。
受け付けられたトリガが情報提供トリガの場合、ステップＶ４において、振分部１７は、一般ユーザＩＤ、一般ユーザ端末ＩＤ、一般ユーザ位置データ、ＤＯＰ値を、提供条件判断部１９に提供する。
【００６４】
ステップＶ５において、提供条件判断部１９は、受け付けた一般ユーザＩＤ及び提供状態「実施中」をキーとして一般ユーザデータ２１ａに対する検索を行い、検索されたレコードに対して、一般ユーザデータ２１ａに記憶されている最新の位置データ及びこの最新の位置データの測定された最新の時間データを、それぞれ過去の位置データ及びこの過去の位置データの測定された過去の時間データとして記憶する。また、提供条件判断部１９は、受け付けた一般ユーザ位置データ及びこの一般ユーザ位置データの測定された時間を示す時間データを、それぞれ最新の位置データ及び最新の時間データとして記憶する。
【００６５】
ステップＶ６において、提供条件判断部１９は、最新の位置データ、最新の時間データ、過去の位置データ、過去の時間データに基づいて、一般ユーザの移動方向と速度とを推定する。
ステップＶ７において、提供条件判断部１８は、推定された一般ユーザ２ａ〜２ｄの移動方向と速度とに基づいて、所定時間後の一般ユーザ２ａ〜２ｄの位置を予測し、予測位置マップコードを計算する。
【００６６】
ステップＶ８において、提供条件判断部１８は、一般ユーザＩＤと対応付けされている属性データ、提供実施時間データ、予測位置マップコードをキーとして、エリアデータ２２ａ及び代表点データ２２ｂを検索する。この結果、一般ユーザＩＤと対応付けされている属性データが一致し、現在の時間が提供実施時間データの示す時間帯内であり、予測位置マップコードが一致するという第１情報提供条件を満たすレコードが、エリアデータ２２ａ及び代表点データ２２ｂから検索される。
【００６７】
ステップＶ９において、提供条件判断部１９は、上記第１検索条件を満たす情報提供エリアのレコードがあるか判断する。
検索されたレコードがない場合、処理はステップＶ１５に移る。
検索されたレコードがある場合、ステップＶ１０において、提供条件判断部１９は、検索されたレコードにおける情報提供エリアの代表点の位置と一般ユーザ２ａ〜２ｄの予測位置との直線距離を計算する。
【００６８】
ステップＶ１１において、提供条件判断部１９は、受け付けたＤＯＰ値に基づいて、一般ユーザ２ａ〜２ｄが情報提供エリアに近づきつつあるか否かを判断するために用いられるしきい値を設定する。
ステップＶ１２において、提供条件判断部１９は、距離に基づいて、この端末３ａ〜３ｄを携帯する一般ユーザ２ａ〜２ｄが情報提供エリアに近づきつつあるという第２情報提供条件が満たされるか判断する。
【００６９】
第２情報提供条件が満たされていない場合、すなわち一般ユーザ２ａ〜２ｄが情報提供エリアに近づいていない場合、処理はステップＶ１５に移る。
第２情報提供条件が満たされる場合、すなわち一般ユーザ２ａ〜２ｄが情報提供エリアに近づいている場合、ステップＶ１３において、提供データ作成部２０は、検索されたレコードにおける提供内容データに基づいて提供データを作成する。
【００７０】
ステップＶ１４において、入出力部１６の提供機能１６ｂは、検索されたレコードにおける管理ユーザ端末ＩＤの示す端末，受け付けた一般ユーザ端末ＩＤの示す端末に、提供データを提供する。
ステップＶ１５において、情報提供装置１１は、一般ユーザ２ａ〜２ｄの端末３ａ〜３ｄから終了トリガを受け付けたか否か判断する。
【００７１】
終了トリガを受け付けた場合、処理は終了する。
終了トリガを受け付けていない場合、処理はステップＶ２に戻る。
本実施の形態に係る情報提供装置１１において、提供実施時間か否かを判断する場合に用いる現在の時間は、情報提供装置１１の内部時計及びカレンダーから取得する。
【００７２】
情報提供装置１１から端末３ａ〜３ｄ，５ａ〜５ｄに提供される提供データは、エリアデータ２２ａの提供内容データから作成される。提供内容データの登録は、例えば、端末５ａ〜５ｄでプルダウンメニューを用いて設定されるとしてもよく、または自由記述により設定されるとしてもよい。
【００７３】
情報提供装置１１は、端末３ａ〜３ｄを所持する一般ユーザ２ａ〜２ｄが情報提供エリアに接近しているか否かを、情報提供エリアの代表点と一般ユーザ２ａ〜２ｄの位置の直線距離がしきい値ｄth以下か否かで判断可能である。位置測定にＧＰＳ測位を用いる場合、ＧＰＳ測位に使用される３つ以上の衛星とＧＰＳ計測位置を直線で結んだ立体（衛星３つの場合は三角錐）の体積が大きいほど、精度劣化指数であるＤＯＰ値は小さくなり、ＧＰＳ測位精度がよくなる。通常ＤＯＰ値は１．０〜５．０程度となる。逆に、立体の体積が小さいとＤＯＰ値は大きくなる。情報提供装置１１は、端末３ａ〜３ｄから受信したＤＯＰ値が小さい場合にしきい値ｄthを小さくし（例えば、ＤＯＰ値が３．０未満の場合にｄth＝１０［m］）、ＤＯＰ値が大きい場合にしきい値ｄthを大きくする（ＤＯＰ値が３．０以上の場合にｄth＝２０［m］）。これにより、情報提供エリアの付近にいる一般ユーザ２ａ〜２ｄ及び管理ユーザ４ａ〜４ｄに情報が未通知となることを防止できる。また、情報提供エリアが多数登録されている場合に、提供される情報の数が多くなりすぎることを防止できる。さらに、複数の情報提供エリアが隣接している場合に、錯綜した状態で情報が提供されることを防止できる。
【００７４】
以上説明した本実施の形態において、例えばＧＰＳなどのような位置測定可能なデバイス付き端末３ａ〜３ｄ，５ａ〜５ｄを携帯するユーザ２ａ〜２ｄ，４ａ〜４ｄは、情報提供サービスの受け手となる一般ユーザ２ａ〜２ｄの属性データを、情報提供エリアの位置データとともに情報提供装置１１に非同期で提供し、登録する。
【００７５】
一方、情報提供装置１１は、蓄積管理している一般ユーザ２ａ〜２ｄの最新の位置データ及び各一般ユーザ２ａ〜２ｄの属性データ、提供実施時間データを照合することにより、一般ユーザ２ａ〜２ｄ及び管理ユーザ４ａ〜４ｄに情報提供エリアに関する最新データを通知する。
【００７６】
これにより、本実施の形態では、一般ユーザ２ａ〜２ｄは、自分の属性、時間帯に応じてフィルタリングされた情報提供エリア周辺の情報を情報提供装置１１から得ることができる。また、管理ユーザ４ａ〜４ｄは、一般ユーザ２ａ〜２ｄの動向を知ることができる。
【００７７】
本実施の形態において、端末３ａ〜３ｄを携帯する一般ユーザ２ａ〜２ｄが情報提供エリアの付近にいるか否かを判断するしきい値を、例えばＤＯＰ値などの位置測定精度に応じて可変としている。
これにより、屋内やビルの林立する場所、比較的見通しのよい場所であっても、情報提供エリアの付近にいる一般ユーザ２ａ〜２ｄに情報が未通知となることを防止できる。また、一般ユーザ２ａ〜２ｄ及び管理ユーザ４ａ〜４ｄに誤った情報が提供されることを防止できる。
【００７８】
本実施の形態においては、情報提供装置１１が端末３ａ〜３ｄから一定周期で送られてくる一般ユーザ位置データに応じて、端末３ａ〜３ｄを所有する一般ユーザ２ａ〜２ｄが情報提供エリアに近づきつつあることを自動検出するため、情報提供エリアの付近にいる特定の属性を持つ一般ユーザ２ａ〜２ｄに対して、危険通知やピンポイントの広告配信サービスなどを提供できる。
【００７９】
本実施の形態においては、情報提供エリアに一般ユーザ２ａ〜２ｄが接近した場合に情報提供を行うとしているが、情報提供エリアに一般ユーザ２ａ〜２ｄが入った場合に情報提供を行うとしてもよい。
本実施の形態では、一般ユーザデータ２１ａ、エリアデータ２２ａ、代表点データ２２ｂへの登録は、管理ユーザ４ａ〜４ｄが行うとしているが、一般ユーザデータ２１ａへの登録は情報提供を求める一般ユーザ２ａ〜２ｄ自身が行うとしてもよい。
【００８０】
本実施の形態では、一般ユーザデータ２１ａとエリアデータ２２ａとが一般ユーザの属性データで関係付けされているため、一般ユーザ２ａ〜２ｄの位置及び属性データに適合した有効な情報を一般ユーザ２ａ〜２ｄ及びその管理ユーザ４ａ〜４ｄの携帯する端末３ａ〜３ｄ，５ａ〜５ｄに提供できる。
【００８１】
本実施の形態では、情報提供装置１１は、一般ユーザ２ａ〜２ｄの移動方向と速度とを考慮して、一般ユーザ２ａ〜２ｄ及びその管理ユーザ４ａ〜４ｄに情報を提供するか否かを決定できる。
本実施の形態において、情報提供装置１１は、同一の情報提供エリアについて新規のエリア位置データを受け付けた場合に、登録されているエリア位置データの示す位置と新規のエリア位置データの示す位置との中点で、登録されているエリア位置データを更新する。これにより、情報提供エリアの位置を修正し、情報提供エリアの位置の信頼性を向上させることができる。
【００８２】
本実施の形態において、情報提供装置１１は、登録トリガを受信したとしても、同一の情報提供エリアに同一の内容を登録することになる場合には登録処理を行わない。これにより、同一の情報提供エリアについて、同一のデータ内容が重複登録されることを防止できる。
【００８３】
本実施の形態において、各構成要素は同様の動作を実現可能であれば配置を変更させてもよく、また各構成要素を自由に組み合わせてもよく、各構成要素を自由に分割してもよく、いくつかの構成要素を削除してもよい。すなわち、本実施の形態については、上記の構成そのままに限定されるものではなく、実施段階ではその要旨を逸脱しない範囲で構成要素を変形して具体化できる。
【００８４】
例えば、各記憶部２１，２２は、自由に組み合わせることができる。各記憶部２１，２２に記憶されている各データ２１ａ，２２ａ，２２ｂも自由に組み合わせることができる。
ここで、上記各実施の形態に係る情報提供システム１の情報提供装置１１をコンピュータとソフトウェアとを用いて実現する場合について説明する。
【００８５】
図８は、本実施の形態に係る情報提供装置１１を、コンピュータとソフトウェアとを用いて実現するための構成の例を示すブロック図である。
コンピュータ２３は、プロセッサ２４、例えば内部メモリなどの記憶装置２５、内部バス２６を具備する。プロセッサ２４と記憶装置２５とは、内部バス２６経由で接続されている。
【００８６】
記憶媒体２７に記憶されているプログラム２８は、コンピュータ２３に読み込まれ、プロセッサ２４により実行される。これにより、コンピュータ２３は、上記情報提供装置１１の具備する各構成要素としての機能を実現する。記憶装置２５は、各記憶部２１，２２として機能する。
【００８７】
本実施の形態において、プログラム２８は、例えば磁気ディスク（フレキシブルディスク、ハードディスク等）、光ディスク（ＣＤ−ＲＯＭ、ＤＶＤ等）、半導体メモリなどの記憶媒体２７に書き込んで、情報提供装置１１として動作するコンピュータ２３に適用可能である。また、上記プログラム２８は、通信媒体により伝送してコンピュータ２３に適用することも可能である。コンピュータ２３は、上記プログラム２８を読み込み、このプログラム２８によって動作が制御されることにより、情報提供装置１１としての機能を実現する。プログラム２８は、複数のコンピュータに分散して配置され、複数のコンピュータ間で互いに連携しつつ処理が実行されるとしてもよい。
【００８８】
（第２の実施の形態）
本実施の形態では、上記第１の実施の形態に係る情報提供システム１の利用例について説明する。
本実施の形態では、情報提供システム１を危険通知システムとして用いる場合について説明する。
管理ユーザ４ａ〜４ｄ（例えば小さい子供を持つ親、学校関係者、ボランティア活動者など）は、危険エリアとなる情報提供エリア（例えばスクールゾーンにおける見通しの悪い交差点、車椅子で通れない狭い路地、工事現場、段差など）に関するデータ、情報提供エリアの位置データ、提供実施時間データ、危険信号の受け手になる一般ユーザ２ａ〜２ｄ（例えば子供、老人、車椅子利用者、女性など）の属性データを、情報提供装置１１に提供し、登録する。
【００８９】
ここで、一般ユーザ２ａ〜２ｄが、自ら危険と感じるエリアがある場合に、同様の登録を行うとしてもよい。
一般ユーザ２ａ〜２ｄの端末３ａ〜３ｄは、一般ユーザＩＤと一般ユーザ位置データとを、一定周期で情報提供装置１１に送信し、記憶する。
また、情報提供エリア付近に設置されている撮影装置７及びセンサ８は、画像データ及び人が接近したか否かを示す検知データを、一定周期で情報提供装置１１に送信し、記憶する。
【００９０】
なお、撮影装置７で撮影された画像データは、センサ８により人が接近した旨が検出された場合に、ネットワーク９、集約装置１０経由で情報提供装置１１に提供されるとしてもよい。この場合、一定周期ごとに画像データを送信する場合よりも、情報提供装置１１に必要とされるデータ容量の削減化を図ることができ、処理負荷を軽減させることができ、ネットワーク負荷を軽減させることができる。
【００９１】
情報提供装置１１は、一般ユーザ２ａ〜２ｄの属性データを管理しており、この属性データに対応する危険エリアに一般ユーザ２ａ〜２ｄが接近又は侵入すると、一般ユーザ２ａ〜２ｄ及び管理ユーザ４ａ〜４ｄの端末３ａ〜３ｄ，５ａ〜５ｄに危険通知メッセージを送信し、警告する。
【００９２】
これにより、一般ユーザ２ａ〜２ｄは、危険エリアから離れることができ、管理ユーザ４ａ〜４ｄは、一般ユーザ２ａ〜２ｄが危険エリアに接近又は侵入したことを知ることができる。
（第３の実施の形態）
本実施の形態では、上記第１の実施の形態に係る情報提供システム１の利用例について説明する。
【００９３】
本実施の形態では、情報提供システム１を広告発信システムとして用いる場合について説明する。
管理ユーザ４ａ〜４ｄ（例えば店舗の経営者、従業員など）は、店舗周辺である情報提供エリアに関するデータ、情報提供エリアの位置データ、提供実施時間データ、広告データの受け手になる一般ユーザ２ａ〜２ｄ（例えば通行人）の属性データ（例えば年齢、性別など）を、情報提供装置１１に提供し、登録する。
【００９４】
一般ユーザ２ａ〜２ｄの端末３ａ〜３ｄは、一般ユーザＩＤと一般ユーザ位置データとを、一定周期で情報提供装置１１に送信し、記憶する。
また、情報提供エリア付近に設置されている撮影装置７及びセンサ８は、画像データ及び人が接近したか否かを示す検知データを、一定周期で情報提供装置１１に送信し、記憶する。
【００９５】
なお、本実施の形態においても、撮影装置７で撮影された画像データは、センサ８により人が接近した旨が検出された場合に、ネットワーク９、集約装置１０経由で情報提供装置１１に提供されるとしてもよい。
情報提供装置１１は、一般ユーザ２ａ〜２ｄの属性データを管理しており、この属性データに対応する店舗に一般ユーザ２ａ〜２ｄが接近又は侵入すると、一般ユーザ２ａ〜２ｄの端末３ａ〜３ｄに店舗の広告データを送信し、管理ユーザ４ａ〜４ｄの端末５ａ〜５ｄに顧客候補の接近通知メッセージを送信する。
【００９６】
これにより、一般ユーザ２ａ〜２ｄは、自己の属性にあう店舗から広告データを得ることができ、管理ユーザ４ａ〜４ｄは、顧客候補の接近回数、接近状態などを知ることができる。
【産業上の利用可能性】
【００９７】
本発明は、ユーザの携帯する端末に情報配信を行う分野に有効である。
【図面の簡単な説明】
【００９８】
【図１】本発明の第１の実施の形態に係る情報提供システムの構成の例を示すブロック図。
【図２】同実施の形態に係る情報提供システムの適用例を示す図。
【図３】一般ユーザデータ、エリアデータ、代表点データの関係の例を示す図。
【図４】同実施の形態に係る端末による登録処理の例を示すフローチャート。
【図５】同実施の形態に係る情報提供装置による登録処理の例を示すフローチャート。
【図６】同実施の形態に係る端末による情報提供処理の例を示すフローチャート。
【図７】同実施の形態に係る情報提供装置による情報提供処理の例を示すフローチャート。
【図８】同実施の形態に係る情報提供装置を、コンピュータとソフトウェアとを用いて実現するための構成の例を示すブロック図。
【符号の説明】
【００９９】
１…情報提供システム、２ａ〜２ｄ…一般ユーザ、３ａ〜３ｄ，５ａ〜５ｄ…端末、４ａ〜４ｄ…管理ユーザ、６ａ，６ｂ…基地局、７…撮影装置、８…センサ、９…ネットワーク、１０…集約装置、１１…情報提供装置、１２…位置測定機能、１３…通信機能、１４…出力機能、１５…登録機能、１６…入出力部、１６ａ…受付機能、１６ｂ…提供機能、１７…振分部、１８…登録処理部、１９…提供条件判断部、２０…提供データ作成部、２１…一般ユーザデータ記憶部、２１ａ…一般ユーザデータ、２２…エリアデータ記憶部、２２ａ…エリアデータ、２２ｂ…代表点データ、２３…コンピュータ、２４…プロセッサ、２５…記憶装置、２６…内部バス、２７…記憶媒体、２８…プログラム
【図１】
2006260081.tif 000003
【図２】
2006260081.tif 000004
【図３】
2006260081.tif 000005
【図４】
2006260081.tif 000006
【図５】
2006260081.tif 000007
【図６】
2006260081.tif 000008
【図７】
2006260081.tif 000009
【図８】
2006260081.tif 000010